(57)【要約】【課題】角度をディレクタ低費用で高画質を有する薄形の液晶表示装置を製作する。【解決手段】本発明による半透過型液晶表示装置は、反射部と透過部を有し、相互に向い合って一定間隔離隔された第１基板及び第２基板と；第１基板の外側の面に形成され、第１光軸を有する第１位相差板と；第１位相差板上部に形成され、第１光軸とθの角度を形成する第１透過軸を有する第１偏光板と；第１基板の内側面に形成される共通電極と；第２基板の内側面に形成される画素電極と；第２基板の外側の面に形成され、第１透過軸と３θ＋９０度の角度を形成する第２光軸を有する第２位相差板と；第２位相差板上部に形成され、第１透過軸と４θの角度を形成する第２透過軸を有する第２偏光板と；共通電極と画素電極間に形成され、第１透過軸と２θ＋４５度の角度を形成するディレクタを有する液晶層を含む。【選択図】　　　　図６
2004046175.tif 000002
【特許請求の範囲】
【請求項１】
反射部と透過部を有し、相互に向い合って一定間隔離隔された第１基板及び第２基板と；
前記第１基板の外側の面に形成され、第１光軸を有する第１位相差板と；
前記第１位相差板上部に形成され、前記第１光軸とθの角度を形成する第１透過軸を有する第１偏光板と；
前記第１基板の内側面に形成される共通電極と；
前記第２基板の内側面に形成される画素電極と；
前記第２基板の外側の面に形成され、前記第１透過軸と３θ＋９０度の角度を形成する第２光軸を有する第２位相差板と；
前記第２位相差板上部に形成され、前記第１透過軸と４θの角度を形成する第２透過軸を有する第２偏光板と；
前記共通電極と画素電極間に形成され、前記第１透過軸と２θ＋４５度の角度を形成するディレクタディレクタを有する液晶層とを
含むことを特徴とする半透過型液晶表示装置。
【請求項２】
前記透過部の液晶層の厚さで定義される第１セルギャップは、前記反射部の液晶層の厚さで定義される第２セルギャップの２倍であることを特徴とする請求項１に記載の半透過型液晶表示装置。
【請求項３】
前記第２基板の内側面と前記画素電極間に、前記透過部に対応する第１透過ホールを有する絶縁層をさらに含むことを特徴とする請求項２に記載の半透過型液晶表示装置。
【請求項４】
前記θは、約１５〜１７．５度であることを特徴とする請求項１に記載の半透過型液晶表示装置。
【請求項５】
前記画素電極は、前記透過部に対応する第２透過ホールを有する反射電極と、透過電極とで構成されたことを特徴とする請求項１に記載の半透過型液晶表示装置。
【請求項６】
前記反射電極と透過電極間に保護層をさらに含むことを特徴とする請求項５に記載の半透過型液晶表示装置。
【請求項７】
前記反射電極は、前記透過電極の上部に形成されることを特徴とする請求項６に記載の半透過型液晶表示装置。
【請求項８】
前記透過電極は、前記反射電極の上部に形成されることを特徴とする請求項６に記載の半透過型液晶表示装置。
【請求項９】
前記共通電極と前記液晶層間に形成される第１配向膜と、前記画素電極と前記液晶層間に形成される第２配向膜をさらに含むことを特徴とする請求項１に記載の半透過型液晶表示装置。
【請求項１０】
前記第１位相差板及び第２位相差板は、各々λ／２プレートであることを特徴とする請求項１に記載の半透過型液晶表示装置。
【請求項１１】
反射部と透過部を有する第１基板上部に共通電極を形成する段階と；
前記反射部と透過部を有する第２基板上部に画素電極を形成する段階と；
前記共通電極と画素電極が向い合うように前記第１基板及び第２基板を合着する段階と；
前記共通電極と画素電極間に、ディレクタを有する液晶層を形成する段階と；
前記第１基板の外側の面に、第１光軸を有する第１位相差板を形成する段階と；
前記第１位相差板上部に、前記第１光軸とθの角度を形成して前記ディレクタと２θ＋４５度の角度を形成する第１透過軸を有する第１偏光板を形成する段階と；
前記第２基板の外側の面に、前記第１透過軸と３θ＋９０度の角度を形成する第２光軸を有する第２位相差板を形成する段階と；
前記第２位相差板上部に、前記第１透過軸と４θの角度を形成する第２透過軸を有する第２偏光板を形成する段階とを含むことを特徴とする半透過型液晶表示装置の製造方法。
【請求項１２】
前記第１位相差板と第１偏光板は、前記第１基板の外側の面に形成される一つの一体型板からなることを特徴とする請求項１１に記載の半透過型液晶表示装置の製造方法。
【請求項１３】
前記第２位相差板と第２偏光板は、前記第２基板の外側の面に形成される一つの一体型板からなることを特徴とする請求項１１に記載の半透過型液晶表示装置の製造方法。
【請求項１４】
前記第１位相差板及び第２位相差板は、各々λ／２プレートであることを特徴とする請求項１１に記載の半透過型液晶表示装置の製造方法。
【発明の詳細な説明】
【０００１】
【発明の属する技術分野】
本発明は、低費用で製作された高品位の半透過型液晶表示装置に関し、特に、高輝度と高コントラスト比特性を有する半透過型液晶表示装置（Ｔｒａｎｓｆｌｅｃｔｉｖｅ　ｌｉｑｕｉｄ　ｃｒｙｓｔａｌ　ｄｉｓｐｌａｙ　ｄｅｖｉｃｅ）に関する。
【０００２】
【従来の技術】
一般的に、液晶表示装置は、用いる光源によって透過型（Ｔｒａｎｓｍｉｓｓｉｏｎ　ｔｙｐｅ）と反射型（Ｒｅｆｌｅｃｔｉｏｎ　ｔｙｐｅ）に分けられ、透過型液晶表示装置は、液晶パネルの後面に付着された背面光源であるバックライト（ｂａｃｋ−ｌｉｇｈｔ）から出てくる人為的な光を液晶に入射させて液晶の配列によって光量を調節して色を表示する形態である。
【０００３】
したがって、前記透過型液晶表示装置は、人為的な背面光源を用いるので電力消費（ｐｏｗｅｒ　ｃｏｎｓｕｍｐｔｉｏｎ）が大きい短所がある反面、反射型液晶表示装置は、光の大部分を外部の自然光や人造光源に依存する構造をしているので、前記透過型液晶表示装置に比べて消費電力が少ない。しかし、前記反射型液晶表示装置は、暗い場所や、天気が曇る場合には外部光を利用出来ないという制約がある。
【０００４】
このため、前記２種のモードを必要な状況により適切に選択して用いることができる反射及び透過兼用液晶表示装置が提案されている。図１は、半透過型カラー液晶表示パネルを概略的に示した平面図である。図示したように、半透過型液晶表示パネル１１は、ブラックマトリックス１６と赤、緑、青サブカラーフィルター１７ａ、１７ｂ、１７ｃで構成されたカラーフィルター１７と、カラーフィルター１７の上部に透明な共通電極１３が積層された上部基板１５と、半透過電極１９とスイッチング素子Ｔと導電性配線が形成された下部基板２１で構成され、前記上部基板１５と下部基板２１間には液晶２３が充填されている。
【０００５】
前記下部基板２１は、アレイ基板とも称し、スイッチング素子である薄膜トランジスタＴをマトリックス形態で配置し、このような多数の薄膜トランジスタを交差してゲート配線２５とデータ配線２７が形成される。この時、前記画素領域Ｐは、前記ゲート配線２５とデータ配線２７が交差して定義される領域であり、これは再び反射領域ｒと透過領域ｔに定義される。画素領域Ｐ上に形成された半透過電極１９は、反射部ｒに対応して構成された反射電極１９ａと、前記透過部ｔに対応して構成された透明電極１９ｂで構成される。一般的な構成は、前記透過部ｔに対応する部分Ｈがオープンされた反射電極１９ａが前記反射部に対応して構成される。前記透明電極１９ａは、インジウム−スズ−オキサイド（ＩＴＯ）のような光の透過率が比較的優れた透明導電性金属を用い、前記反射電極１９ｂは、反射率が優れたアルミニウム（Ａｌ）またはアルミニウム合金を用いる。
【０００６】
図２は、図１の液晶パネルを含んで設計された半透過型液晶表示装置を示した断面図である（図２は、図１の構成においてカラーフィルターを省略した図面である。）。図示したように、半透過型液晶表示装置１１は、上部基板１５と下部基板２１が離隔して構成され、下部基板２１と向い合う面の上部基板１５には共通電極１３が形成される。前記共通電極１３が形成された上部基板の反対面にはλ／４＋αプレート特性を有する上部第１位相差フィルム４５（ｑｕａｒｔｅｒｗａｖｅ　ｐｌａｔｅ：ＱＷＰ）とλ／２プレート特性を有する上部第２位相差フィルム４７（ｈａｌｆ　ｗａｖｅ　ｐｌａｔｅ：ＨＷＰ）と上部偏光板４９が順に積層されて、前記上部基板１５と向い合う下部基板２１の一面には透過ホールＨを含む反射電極１９ａと透明電極１９ｂで構成された半透過画素電極１９が構成される。
【０００７】
したがって、透過ホールＨは、透過部ｔとして定義されて透過ホールを除外した反射電極１９ａに対応する領域は反射部ｒとして定義される。透明電極１９ｂと反射電極１９ａ間に保護層５１が構成される。前記半透過画素電極１９ａ、１９ｂが形成された下部基板２１の反対面には下部第１位相差フィルム（λ／４−βプレートである）５３と下部第２位相差フィルム（λ／２プレート）５５と下部偏光板５６が順に構成される。前記下部基板２１と上部基板１５間には光学的異方性を有する液晶２３を充填する。
【０００８】
前述した構成において、前記液晶は、上部基板１５と下部基板２１に対し水平配向されたホモジニアス液晶（ｈｏｍｏｇｅｎｅｏｕｓ　ＬＣ）またはツイストネマティック液晶（ＴＮ：ｔｗｉｓｔｅｄｎｅｍａｔｉｃ）を用いることができる。この時、反射部ｒに配置する液晶層のΔｎｄ１がλ／４（λ＝５５０ｎｍ）になるように設計された場合、式（２）のように、透過部のセルギャップｄ２は、前記反射部のセルギャップの約二倍に形成する。
ｄ１Δｎ＝λ／４　　　（１）
ｄ２＝２ｄ１　　　　　（２）
であるので、ｄ２Δｎ＝λ／２特性を有する。前記式（１）において、ｄ１は、反射部ｒに配置した液晶層ｄ１のセルギャップ、ｄ２は、前記透過部に配置した液晶層のセルギャップ、λ／４は、前記反射部ｒの液晶層を一度通過する光の位相遅延値である。
【０００９】
前述したような式によって、前記透過部ｔと反射部ｒによるセル厚さを違うように形成するようになれば、前記反射部を進行する光の進行状態と前記透過部を進行する光の進行状態とに差が発生しないので高い輝度特性を得ることができる。したがって、前記反射電極１９ａに形成されたホールＨに対応する下部の絶縁膜５２をエッチングして、透過部に該当するセルギャップｄ２が反射部に該当するセルギャップｄ１の２倍になるようにする。
【００１０】
前述した構成において、前記液晶表示装置の上部と下部に構成された多数の補償セルは、図３のように配置する。図３は、従来の第１例による半透過型液晶表示装置に構成された光学フィルムの配置を示した図面である。図示したように、前記上部偏光板の透過軸４９′は、Ｘ軸と平行した方向であって、前記下部偏光板の透過軸５６′はＹ軸と平行した方向になるように構成する。すなわち、上部偏光板と下部偏光板の各透過軸４９′、５６′は相互に垂直に構成される。
【００１１】
また、前記上部第１位相差フィルムの光軸４５′と下部第１位相差フィルムの光軸５３′が相互に垂直に構成されて、前記上部第２位相差フィルム４７の光軸と下部第２位相差フィルム５５の光軸が相互に垂直に構成される。この時、前記液晶層のディレクタ（ｄｉｒｅｃｔｏｒ）２３′は、下部第１位相差フィルムの光軸５３′と平行に構成される。
【００１２】
前述した構成において、前記上部第１位相差フィルム及び第２位相差フィルム（図２の４５、４７）は一つの広帯域λ／４プレートの機能をする。したがって、液晶層による位相遅延が０である時ブラックを具現するようになり、液晶層による位相遅延がλ／４である時はホワイト（ｗｈｉｔｅ）を具現するようになる。この時、透過部は反射部のセルギャップの２倍であるので液晶層の位相遅延値はλ／２になる。先に説明したように、下部に使われるλ／４及びλ／２プレートの光軸５３′、５５′は、上部に使われたλ／４及びλ／２プレートの光軸４５′、４７′と各々垂直になるように配置して液晶層による位相遅延値が０である時、光学的に効果が無いようにして全波長にかけてブラックになるようにする。
【００１３】
前述した構成において、上部第１位相差フィルム（図２の４５）は、λ／４＋αの位相遅延値を有するようにし、下部第１位相差フィルム（図２の５３）はλ／４−βの位相遅延値を有するようにする。ここで、αとβは、前記液晶層（図２の２３）に電圧を印加した時、反応しなく残っている表面成分による位相遅延を相殺するために考慮されるパラメタ（ｐａｒａｍｅｔｅｒ）であり、単位は波長と同一のｎｍである。
【００１４】
前述したような構成は、先に説明した通り高品位の半透過型液晶表示装置を製作できるが、このために複雑な一体型の偏光板が要求される。実際の製作時、一般的に、前記補償セルは偏光板と一緒に単一に構成されるためである。実際に、偏光板の積層数が増えて層間異物の発生率が一般偏光板対比１０倍以上高い。また、全体液晶表示モジュール（ＬＣＭ）の厚さも増加される。
【００１５】
次に、図４は、従来の第２例による半透過型液晶表示装置を概略的に示した断面図である。図示したように、半透過型液晶表示装置１１は、上部基板１５と下部基板２１が相互離隔して構成される。前記下部基板２１と向い合う面の上部基板１５には共通電極１３が形成され、前記共通電極１３が形成された上部基板の反対面には位相差フィルム４７（ｈａｌｆ　ｗａｖｅ　ｐｌａｔｅ：ＨＷＰ）と上部偏光板４９が順に積層され、前記上部基板１５と向い合う下部基板２１の一面には透過ホールＨを含む反射電極１９ａと透明電極１９ｂで構成された半透過画素電極１９が構成される。
【００１６】
したがって、透過ホールＨは、透過部ｔとして定義されて透過ホールを除外した反射電極１９ａに対応する領域は反射部ｒとして定義される。透明電極１９ｂと反射電極１９ａ間に保護層５１が構成される。前記半透過画素電極１９ａ、１９ｂが形成された下部基板２１の反対面には下部偏光板５６が構成される。前記下部基板２１と上部基板１５間には光学的異方性を有する液晶２３を配置する。
【００１７】
また、図５は、従来の第２例による半透過型液晶表示装置に構成された光学フィルムの配置を示した図面である。前述した構成において、前記上部偏光板の透過軸４９′がＸ軸と平行するならば、上部偏光板の透過軸４９′と前記位相差フィルムＨＷＰの光軸４７′はθの角度を形成するように構成して、前記上部偏光板の透過軸４９′と下部偏光板の透過軸５６′が２θの角度を形成するように構成する。また、前記液晶層のディレクタ２３′と前記上部偏光板の透過軸４９′は４５度＋２θの角度を有するように構成する。
【００１８】
前記構成は、従来の第１例に構成したλ／４プレートと反射部液晶層の位相遅延値がλ／４として同一なものに着眼して、位相差フィルムの代わりに液晶層を用いることによって反射部を構成する。また、透過部は、やはり反射部のセルギャップより２倍になるように構成するので、位相遅延値はλ／２になり、この時、実質的にクロスポラライゼション（ｃｒｏｓｓ　ｐｏｌａｒｉｚａｔｉｏｎ）状態になる２θ位置に下部偏光板を配置することによって透過部動作を可能にする。
【００１９】
【発明が解決しようとする課題】
前述した構成は、従来の第１例と比較して補償フィルムを１層だけ用いるために価格及び厚さ側面で優秀な長所がある。反面、前述した構成においてポジティブ液晶を用いた通常のＥＣＢモードを用いたと仮定するならば、ノーマリーブラック（ｎｏｒｍａｌｌｙ　ｂｌａｃｋ）で動作するようになる。
【００２０】
したがって、前述したような構成は、従来の第１例の場合と同様の性能を具現できるが、透過部動作時全波長にかけてブラックにならず漏れ光が存在するのでコントラスト比（ｃｏｎｔｒａｓｔ　ｒａｔｉｏ）が落ちる短所がある。
【００２１】
本発明は前述した問題を解決するためなされたものであって、半透過液晶パネルの上部と下部にλ／２プレートを構成するが、上部偏光板の透過軸とλ／２プレートの光軸がθの角度を有するように構成して、下部線偏光版の透過軸は４θ、液晶のディレクタは２θ＋４５度、下部λ／２プレートは３θ＋９０度の角度を形成するように構成する。このようにすれば、低費用で高画質を有する薄形の液晶表示装置を製作できる。
【００２２】
【課題を解決するための手段】
前述したような目的を達成するための本発明による半透過型液晶表示装置は、反射部と透過部を有し、相互に向い合って一定間隔離隔された第１基板及び第２基板と；前記第１基板の外側の面に形成され、第１光軸を有する第１位相差板と；前記第１位相差板上部に形成され、前記第１光軸とθの角度を形成する第１透過軸を有する第１偏光板と；前記第１基板の内側面に形成される共通電極と；前記第２基板の内側面に形成される画素電極と；前記第２基板の外側の面に形成され、前記第１透過軸と３θ＋９０度の角度を形成する第２光軸を有する第２位相差板と；前記第２位相差板上部に形成され、前記第１透過軸と４θの角度を形成する第２透過軸を有する第２偏光板と；前記共通電極と画素電極間に形成され、前記第１透過軸と２θ＋４５度の角度を形成するディレクタを有する液晶層を含む。
【００２３】
前記透過部の液晶層の厚さで定義される第１セルギャップは、前記反射部の液晶層の厚さで定義される第２セルギャップの２倍であり、前記第２基板の内側面と前記画素電極間に、前記透過部に対応する第１透過ホールを有する絶縁層をさらに含むことができる。
【００２４】
前記θは、約１５〜１７．５度であり、前記画素電極は前記透過部に対応する第２透過ホールを有する反射電極と、透過電極で構成されることができる。
【００２５】
前記反射電極と透過電極間に保護層をさらに含むことができ、前記反射電極は前記透過電極の上部に形成されたり、前記透過電極は前記反射電極の上部に形成される。
【００２６】
前記共通電極と前記液晶層間に形成される第１配向膜と、前記画素電極と前記液晶層間に形成される第２配向膜をさらに含むことができ、前記第１位相差板及び第２位相差板は各々λ／２プレート（ｈａｌｆ　ｗａｖｅ　ｐｌａｔｅ：ＨＷＰ）である。
【００２７】
本発明による半透過型液晶表示装置の製造方法は、反射部と透過部を有する第１基板上部に共通電極を形成する段階と；前記反射部と透過部を有する第２基板上部に画素電極を形成する段階と；前記共通電極と画素電極が向い合うように前記第１基板及び第２基板を合着する段階と；前記共通電極と画素電極間に、ディレクタを有する液晶層を形成する段階と；前記第１基板の外側の面に、第１光軸を有する第１位相差板を形成する段階と；前記第１位相差板上部に、前記第１光軸とθの角度を形成して前記ディレクタと２θ＋４５度の角度を形成する第１透過軸を有する第１偏光板を形成する段階と；前記第２基板の外側の面に、前記第１透過軸と３θ＋９０度の角度を形成する第２光軸を有する第２位相差板を形成する段階と；前記第２位相差板上部に、前記第１透過軸と４θの角度を形成する第２透過軸を有する第２偏光板を形成する段階を含む。
【００２８】
前記第１位相差板と第１偏光板は、前記第１基板の外側の面に形成される一つの一体型板で構成されることができ、前記第２位相差板と第２偏光板は前記第２基板の外側の面に形成される一つの一体型板で構成されることができる。
前記第１位相差板及び第２位相差板は、各々λ／２プレートである。
【００２９】
【発明の実施の形態】
以下、添附した図面を参照しながら本発明による望ましい実施の形態を説明する。
−−実施の形態−−
本発明は、半透過液晶パネルの上部と下部に光学補償フィルムとしてλ／２プレートだけを構成して、既存のλ／２プレートとλ／４プレートを半透過液晶パネルの上部と下部に重なって構成する時と同一な輝度特性を具現できることを特徴とする。
【００３０】
図６は、本発明による半透過型液晶表示装置を概略的に示した断面図である。（ここで、半透過型液晶表示装置の構成は、図２の構成とほとんど同一であるため詳細な説明を省略する。）図示したように、半透過型液晶表示装置１００は、上部基板２００と下部基板３００を所定間隔離隔して構成し、上部基板２００の一面には共通電極２０２を構成して他の面には第１位相差フィルム（ＨＷＰ：λ／２プレート）２０４と第１偏光２０６を構成する。
【００３１】
前記共通電極２０２と対応する下部基板３００の一面には半透過電極３０２が構成されて、他の面には第２位相差フィルム３０４と第２偏光板３０６が構成される。前記半透過電極３０２は、反射部ｒに対応して構成された反射電極３０２ａと透過部ｔに対応して構成された透明電極３０２ｂで構成される。この時、前記透過部Ａに対応する液晶層４００の厚さｄ１が反射部ｒに対応する液晶層４００の厚さｄ２の２倍になるように構成する。このために、透過部ｔに対応する下部絶縁膜層３０３をエッチングする方法を用いる。
【００３２】
以下、図７を参照して前述した構成のうち液晶層と光学補償フィルムの光学的配置を説明する。図７は、本発明による半透過型液晶表示装置に構成された液晶と光学フィルムのディレクタ配置を示した図面である。上部偏光板の透過軸２０６′がＸ軸と平行した方向になるように構成し、上部位相差フィルムの光軸２０４′が上部偏光板の透過軸２０６′とθの角度を形成するように構成するならば、前記下部偏光板の透過軸３０６′はＸ軸に対して４θの角度を有するように構成し、前記液晶のディレクタ４００′は２θ＋４５度の角度を有するように構成し、下部位相差フィルムの光軸３０４′は３θ＋９０度の角度を有するように構成する。この時、前記θの値は望ましくは１５度から１７．５度の値を有するように構成する。
【００３３】
前述したように各光学フィルムを構成すれば、図８に示したような偏光特性を得ることができる。図８Ａと図８Ｂは、従来と本発明の光学フィルム配置による偏光特性を示した図面である。図示した図面は、液晶パネルをすぎて上部線偏光版を通過する直前の偏光状態を示したものであり、この時、実線は波長が４００ｎｍである時の偏光特性、点線は５５０ｎｍである時の偏光特性、一点鎖線は７００ｎｍである時の偏光特性をそれぞれ示す。
【００３４】
図８Ａに示したように、電圧無印加時、従来は５５０ｎｍである時にだけ線偏光に近い偏光特性を見せ、残り波長においては楕円偏光成分が大きくなる偏光特性を見せる。したがって、前記液晶パネルをすぎて上部線偏光版を通過する直前の光が線偏光特性に近くなければ光漏れ現象が発生して、明確なダーク特性を示すことができなくなる。このため、鮮明なブラック状態が得られないためにコントラスト低下現象が現れる。
【００３５】
反面、図８Ｂに示したように、本発明による配置で光学フィルムを構成すれば、大部分の波長において直線偏光特性を示すことが分かる。このような偏光特性を有した光は、上部線偏光版に吸収されるので明確なブラック状態を示すようになり高いコントラストを具現できる。したがって、ポジティブ液晶を用いた通常のＥＣＢモードを用いると仮定すれば高品位のノーマリーブラックモードとして動作が可能である。
【００３６】
以下、図９Ａと図９Ｂ、図１０Ａと図１０Ｂを参照して、θ値が１５度の場合と１７．５度の場合の透過部と反射部における波長特性を調べてみる。図９Ａと図９Ｂは、各々θ値が１５度の場合であり、電圧による波長の透過モードと反射モードにおいて各々現れる透過率特性と反射率特性を示したグラフである。図９Ａと図９Ｂに示したように、各電圧帯０、１、２、３、４、５Ｖにおいて透過部と反射部のすべての場合に広帯域波長４３０ｎｍ〜７８０ｎｍに該当する光の波長依存性が大きくないことが分かる。
【００３７】
図１０Ａと図１０Ｂは、各々θ値が１７．５度の場合の電圧による波長の透過率特性を示したグラフである。同様に、図１０Ａと図１０Ｂに示したように、各電圧帯０、１、２、３、４、５Ｖにおいて透過部と反射部のすべての場合に広帯域波長に該当する光の透過率と反射率の波長依存性が大きくないことが分かる。
【００３８】
この時、前記θ値は、１５度の場合がさらに波長依存性が小さいグラフ形状を示しているので、１５度の場合が１７．５度の場合に比べてさらに優秀だと判定できる。反面、１５度以下においては反射部から波長依存性が大きくて液晶パネルとして用いるのが難しい。
【００３９】
前述した図７では、透過軸配置から上部偏光板の吸収軸（透過軸）基準にして、反時計方向に回っていきながら他の光学部品を配置したが、これを時計方向に回っていきながら配置しても同一な性能を得ることができる。但し視野角特性だけがすこし変わる。
【００４０】
前述したような特性を有する本発明の半透過型液晶表示装置において、これを構成する各部品の光軸配置は部品間の角度の関係が重要なものであって、全体的な配置は最終液晶表示装置において意図する視野角特性によって回転させることができるので特に重要でない。
【００４１】
【発明の効果】
したがって、本発明にように液晶表示装置を構成すれば、光学フィルムに半透過液晶パネルの上部と下部に各々偏光板とλ／２プレートだけを構成しても高輝度と改善されたコントラスト特性を得ることができるために高品質の液晶表示装置を製作できる効果がある。
【図面の簡単な説明】
【図１】一般的な液晶表示装置を概略的に示した図面である。
【図２】従来の第１例による半透過型液晶表示装置の一部を概略的に示した断面図である。
【図３】図２に示した液晶表示装置を構成する光学フィルムと液晶のディレクタを示した図面である。
【図４】従来の第２例による半透過型液晶表示装置の一部を概略的に示した断面図である。
【図５】図４に示した液晶表示装置を構成する光学フィルムと液晶のディレクタを示した図面である。
【図６】本発明による半透過型液晶表示装置の一部を概略的に示した断面図である。
【図７】図６に示した液晶表示装置を構成する光学フィルムと液晶のディレクタを示した図面である。
【図８Ａ】従来例による半透過型液晶表示装置の偏光特性を示した図面である。
【図８Ｂ】本発明による半透過型液晶表示装置の偏光特性を示した図面である。
【図９Ａ】本発明の第１の実施の形態による半透過型液晶表示装置の電圧による波長の透過率特性を示した図面である。
【図９Ｂ】本発明の第１の実施の形態による半透過型液晶表示装置の電圧による波長の透過率特性を示した図面である。
【図１０Ａ】本発明の第２の実施の形態による半透過型液晶表示装置の電圧による波長の透過率特性を示した図面である。
【図１０Ｂ】本発明の第２の実施の形態による半透過型液晶表示装置の電圧による波長の透過率特性を示した図面である。
【符号の説明】
２００：上部基板、２０２：共通電極、２０４：上部λ／２プレート、２０６：上部線偏光版、３００：下部基板、３０２：半透過電極、３０４：下部線偏光版、３０６：下部λ／２プレート。
【図１】
2004046175.tif 000003
【図２】
2004046175.tif 000004
【図３】
2004046175.tif 000005
【図４】
2004046175.tif 000006
【図５】
2004046175.tif 000007
【図６】
2004046175.tif 000008
【図７】
2004046175.tif 000009
【図８Ａ】
2004046175.tif 000010
【図８Ｂ】
2004046175.tif 000011
【図９Ａ】
2004046175.tif 000012
【図９Ｂ】
2004046175.tif 000013
【図１０Ａ】
2004046175.tif 000014
【図１０Ｂ】
2004046175.tif 000015